(57)【要約】【課題】  例えば、グラディエーションを抑制しつつ、輝度差によって視認される縦スジ等の境目を低減する。【解決手段】  分岐配線Ｅ６及びＦ１を介して供給される画像信号の電位差は他の分岐配線を介して供給される画像信号の電位差に比べて大きいため、分岐配線Ｅ６及び分岐配線Ｆ１を隣接しないように配設する。加えて、分岐配線Ｅ１、Ｅ２、・・・、Ｅ６は、図中横方向に沿ってランダムに配設されているため、分岐配線Ｅ１、Ｅ２、・・・、Ｅ６及びこれら分岐配線に電気的に接続された画像供給線を含んだ配線全体の配線抵抗を平均化でき、画像信号の電位差に応じて視認されるグラディエーションを低減できる。【選択図】  図５
2006215425.tif 000002
【特許請求の範囲】
【請求項１】
基板上の画像表示領域に配線された複数の走査線及び複数のデータ線と、
前記走査線及び前記データ線に夫々電気的に接続された複数の画素電極と、
前記複数のデータ線を、Ｎ本の前記データ線を１群とするデータ線群毎に駆動するためにＮ（但し、Ｎは２以上の自然数）個のシリアル−パラレル変換された画像信号がＮ個の外部回路端子を介して夫々供給されるＮ本の画像信号線と、
該Ｎ本の画像信号線と、層間絶縁層によって層間絶縁されつつ該Ｎ本の画像信号線の配線方向に交差して形成されると共に、前記複数のデータ線の配列に対応して複数配列されており、前記Ｎ本の画像信号線のうち対応する一本に夫々接続される複数の分岐配線と、
該複数の分岐配線から夫々供給される前記画像信号を、サンプリング信号に応じて前記データ線に夫々供給する複数のサンプリングスイッチを含むサンプリング回路と、
前記データ線群に対応する前記サンプリングスイッチ毎に、前記サンプリング信号を順次供給するデータ線駆動回路と
を備えており、
前記複数の分岐配線のうち、最も輝度差が大きくなる画像信号を夫々対応するデータ線に供給する第１の分岐配線及び第２の分岐配線が隣接して配設されないように、前記複数のデータ線が配列される配列方向に沿って前記複数の分岐配線がランダムに配設されていること
を特徴とする電気光学装置。
【請求項２】
前記Ｎ個の画像信号のうち前記ランダムに配設された複数の分岐配線の夫々に対応した画像信号が前記データ線に供給されるように、前記Ｎ本の画像信号線の夫々を前記Ｎ個の外部回路端子のうち所定の外部回路端子に電気的に接続するＮ本の引き出し配線を更に備えたこと
を特徴とする請求項１に記載の電気光学装置。
【請求項３】
前記Ｎ本の引き出し配線は、前記画像信号線の一部と交差する方向に延在されていると共に、前記画像信号線の一部と交差する領域で前記画像信号線の一部と電気的に絶縁されていること
を特徴とする請求項２に記載の電気光学装置。
【請求項４】
前記ランダムに配設された複数の分岐配線及び前記Ｎ本の画像信号線のうち一方の複数の配線は、該一方の複数の配線の配線抵抗同士が相互に近付くように、該一方の複数の配線が延びる配線方向に沿って伸び、且つ前記基板に垂直な方向の断面内で部分的に上下方向位置が異なる上下シフト部分を含むこと
を特徴とする請求項１から３の何れか一項に記載の電気光学装置。
【請求項５】
前記上下シフト部分は、前記層間絶縁層と同一又は異なる前記上下シフト部分の下地となる下地絶縁層の表面における前記断面内での凹凸によって、上下に蛇行すること
を特徴とする請求項４に記載の電気光学装置。
【請求項６】
前記一方の複数の配線は、前記複数の分岐配線及び前記Ｎ本の画像信号線のうち他方の
複数の配線の上層側に配線されており、
前記層間絶縁層の表面における前記凹凸は、前記下地絶縁層の下層側にある、前記他方
の複数の配線と同一層の存否に応じて形成されていること
を特徴とする請求項４又は５に記載の電気光学装置。
【請求項７】
前記下地絶縁層に形成された溝により、前記凹凸が形成されていること
を特徴とする請求項５又は６に記載の電気光学装置。
【請求項８】
前記一方の複数の配線は、前記複数の分岐配線及び前記Ｎ本の画像信号線のうち他方の
複数の配線の上層側に配線されており、
前記上下シフト部分は、前記他方の複数の配線の存在に応じて上下に蛇行する部分を含むこと
を特徴とする請求項４から７の何れか一項に記載の電気光学装置。
【請求項９】
前記一方の複数の配線には夫々、前記一方の複数の配線の各々の配線抵抗が相互に同等
となるように、前記上下シフト部分が形成されていること
を特徴とする請求項４から８の何れか一項に記載の電気光学装置。
【請求項１０】
請求項１から９の何れか一項に記載の電気光学装置を具備してなること
を特徴とする電子機器。
【発明の詳細な説明】
【技術分野】
【０００１】
本発明は、例えば液晶装置等の電気光学装置、及びそのような電気光学装置を具備してなる例えば液晶プロジェクタ等の電子機器の技術分野に関する。
【背景技術】
【０００２】
この種の電気光学装置は、一般に、シリアル−パラレル変換された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。
【０００３】
この場合、複数の画像信号線は、基板の周辺領域に配列され、更に画像信号線からサンプリングスイッチまでは、比較的高抵抗の分岐配線及び分岐配線より低抵抗な補助中継用配線によって接続される。複数の分岐配線は、複数のデータ線の配列に対応して複数の画像信号線の配線方向と交差する方向に配列されている。また、各分岐配線は、一端側が、該分岐配線と画像信号線とを層間絶縁する層間絶縁層に開孔されたコンタクトホールを介して、画像信号線に接続されている。ここで、輝度ばらつき或いはグラディエーションを防止する観点から、特許文献１又は４は、補正回路を設けたり、或いはサンプリング回路に画像信号を供給する配線を並べ替えたりすることによって、輝度ばらつき或いはグラディエーションを低減する技術を開示している。
【０００４】
【特許文献１】特開平７−１０４２４４号公報
【特許文献２】特開平１０−１３３２２０号公報
【特許文献３】特開２００３−１４０１８１号公報
【特許文献４】特開２００４−４６００９号公報
【発明の開示】
【発明が解決しようとする課題】
【０００５】
しかしながら、特許文献１、及び３は、新たに電源、或いは配線を設けることによって輝度ムラを低減しており、新たに電源或いは配線を設けることによるコストの増大、又は設計の複雑化を招く技術的問題点がある。また、特許文献２及び４は、ソース電極及び信号線の接続、或いはサンプリング回路に駆動信号を供給する配線の配置を変更することによって画質の向上を図っている。特に、特許文献２は、ビデオ信号を伝播する複数の接続配線の長さがなだらかに変化するように複数の接続配線の配置を変更しているが、画素における輝度の差が最も大きくなる接続配線が隣接配置されないようにしたとしても、一ブロックを構成する接続配線の長さの変化に応じて表示画像全体のグラディエーションが生じてしまう技術的問題点がる。
【０００６】
よって、本発明は上記問題点等に鑑みてなされたものであり、例えば、グラディエーションを抑制しつつ、輝度差による縦スジ等の境目が視認されない画像を表示可能な液晶プロジェクタ等の電気光学装置、及び例えばこのような液晶プロジェクタを備えた電子機器を提供することを課題とする。
【課題を解決するための手段】
【０００７】
本発明に係る電気光学装置は上記課題を解決するために、基板上の画像表示領域に配線された複数の走査線及び複数のデータ線と、前記走査線及び前記データ線に夫々電気的に接続された複数の画素電極と、前記複数のデータ線を、Ｎ本の前記データ線を１群とするデータ線群毎に駆動するためにＮ（但し、Ｎは２以上の自然数）個のシリアル−パラレル変換された画像信号がＮ個の外部回路端子を介して夫々供給されるＮ本の画像信号線と、
該Ｎ本の画像信号線と、層間絶縁層によって層間絶縁されつつ該Ｎ本の画像信号線の配線方向に交差して形成されると共に、前記複数のデータ線の配列に対応して複数配列されており、前記Ｎ本の画像信号線のうち対応する一本に夫々接続される複数の分岐配線と、
該複数の分岐配線から夫々供給される前記画像信号を、サンプリング信号に応じて前記データ線に夫々供給する複数のサンプリングスイッチを含むサンプリング回路と、
前記データ線群に対応する前記サンプリングスイッチ毎に、前記サンプリング信号を順次供給するデータ線駆動回路とを備えており、前記複数の分岐配線のうち、最も輝度差が大きくなる画像信号を夫々対応するデータ線に供給する第１の分岐配線及び第２の分岐配線が隣接して配設されないように、前記複数のデータ線が配列される配列方向に沿って前記複数の分岐配線がランダムに配設されている。
【０００８】
本発明に係る電気光学装置によれば、その駆動時には、シリアル−パラレル変換されたＮ個の画像信号が、Ｎ本の画像信号線に供給され、更に、データ線に対応して配列された分岐配線からサンプリング回路へと供給される。例えば、Ｎ個の画像信号は、駆動周波数の上昇を抑えつつ高精細な画像表示を実現すべく、外部回路によって、シリアルな画像信号が、例えば３相、６相、１２相、２４相、・・・など、複数のパラレルな画像信号に変換されることによって生成される。
【０００９】
このような画像信号の供給と並行して、データ線駆動回路によって、データ線群に対応するサンプリングスイッチ毎に、サンプリング信号が順次供給される。すると、サンプリング回路によって、複数のデータ線には、サンプリング信号に応じてデータ線群毎にＮ個の画像信号が順次供給される。よって、同一のデータ線群に属するデータ線は同時に駆動されることとなる。尚、サンプリングスイッチは、例えば、片チャネル型のＴＦＴにより夫々構成され、ソースが分岐配線に電気的に接続され、ドレインがデータ線に接続され、ゲートにサンプリング信号が供給されることでオン状態とされる。
【００１０】
このようにデータ線が駆動されると、各画素部では、例えば、走査線駆動回路から走査線を介して供給される走査信号に応じて画素電極が選択状態となり、スイッチング動作を行う画素スイッチング素子を介して、データ線より画像信号が画素電極に供給される。これにより、例えば表示素子である液晶素子は供給された画像信号に基づいて画像表示を行う。
【００１１】
複数の分岐配線のうち、最も輝度差が大きくなる画像信号を夫々対応するデータ線に供給する第１の分岐配線及び第２の分岐配線が隣接して配設されていないことにより、動作時に、第１の分岐配線及び第２の分岐配線を介して画像表示を行う画素列間の境目における輝度ムラを低減できる。ここで、「第１の分岐配線及び第２の分岐配線」とは、例えば、配線長の相違によって配線抵抗の差が最も大きくなる分岐配線を意味し、画像信号線及び分岐配線の配線抵抗等を一因として隣接するデータ線群間の境目で生じる輝度ムラを低減でき、データ線群の境目が視認されることを抑制できる。ここで、「境目」とは、表示画像内で視認される縦スジであり、第１の分岐配線及び第２の分岐配線の夫々から供給された画像信号のよって駆動される画素の輝度差が大きいほど視認され易い。したがって、最も輝度差が大きくなる画像信号をデータ線に供給する第１の分岐配線及び第２の分岐配線が隣接して配設されないようにすることによって、表示画像内で視認される縦スジ、即ち境目を低減できる。例えば、同じ配列で分岐配線を夫々のデータ線群毎に接続した場合、隣接するデータ線群の境目に配設されるデータ線の夫々に輝度差が最も大きくなる画像信号が供給されることを防止できる。
【００１２】
加えて複数の分岐配線は、前記複数のデータ線が配列される配列方向に沿って前記複数の分岐配線がランダムに配設されているため、画像が表示される際に生じる画像表示領域におけるグラディエーションを低減できる。より具体的には、「グラディエーション」とは、少しずつ輝度が異なる画像信号を供給する分岐配線、例えば画像信号線からサンプリング回路までの長さが異なる分岐配線をその長さの順に配設した際に生じる輝度の勾配によって生じる表示ムラであり、複数の分岐配線を前記複数のデータ線が配列される配列方向に沿ってランダムに配設することによって、輝度の勾配を低減でき、高品質の画像表示が可能になる。ここで、「ランダム」とは、一のデータ線群に画像信号を供給する複数の分岐配線の長さが、データ線の配列方向に沿って不規則であることを意味し、データ線の配列方向に沿って分岐配線の長さが一定の規則性を持って長さ順に配設されていないことを意味する。このような配設された分岐配線によれば、データ線の配列方向に沿って、例えば分岐配線或いは画像信号線を含めた配線全体の配線抵抗がランダムとなり、一のデータ線群に接続される分岐配線、又は異なるデータ線群の夫々に接続される分岐配線を介して駆動される画素に輝度ムラが生じることを低減できる。したがって、表示された画像におけるグラディエーションを低減することが可能である。
【００１３】
よって、以上説明したような本発明に係る電気光学装置では、各データ線群の境目で相隣接するデータ線に画像信号を供給する配線抵抗の相異の程度を小さくすることができる。よって、このような配線抵抗によって電位が変化した画像信号が、各データ線群の境目で相隣接するデータ線に夫々供給されるのを防止することが可能となる。その結果、各データ線群の境目で顕著な輝度差が生じることを防止して、電気光学装置において高品質な画像表示を行うことが可能となる。加えて、データ線群或いはデータ線全体で画像信号を供給する際に配線抵抗が実質的に平均化されているため、配線抵抗によって電位が変化した画像信号が各データ線に供給されることを低減でき、グラディエーションが低減された高品位の画像を表示できる。
【００１４】
本発明に係る電気光学装置の一の態様においては、前記Ｎ個の画像信号のうち前記ランダムに配設された複数の分岐配線の夫々に対応した画像信号が前記データ線に供給されるように、前記Ｎ本の画像信号線の夫々を前記Ｎ個の外部回路端子のうち所定の外部回路端子に電気的に接続するＮ本の引き出し配線を更に備えていてもよい。
【００１５】
この態様によれば、前記Ｎ本の画像信号線の夫々を前記Ｎ個の外部回路端子のうち所定の外部回路端子に電気的に接続するＮ本の引き出し配線によって、各画像信号線から分岐した分岐配線を経由して所定のデータ線に夫々対応した画像信号を供給できる。したがって、例えば、画像供給線のレイアウトを変更することなく、引き出し配線によって、画像供給線及び画像供給線に電気的に接続される外部回路端子の組み合わせを変更することが可能である。
【００１６】
本発明に係る電気光学装置の他の態様においては、前記Ｎ本の引き出し配線は、前記画像信号線の一部と交差する方向に延在されている共に、前記画像信号線の一部と交差する領域で前記画像信号線の一部と電気的に絶縁されていてもよい。
【００１７】
この態様によれば、引き出し配線と画像供給線の一部とを電気的に絶縁できる。ここで、「画像供給線の一部」とは、一の引き出し配線に電気的に接続されるべき画像供給線を除く他の画像供給線を意味する。したがって、一の引き出し配線が他の画像供給線と絶縁されているため、所定のデータ線に所定の画像信号を供給できる。尚、画像供給線及び引き出し配線は、例えば、画像供給線及び引き出し配線が基板上の異なる層上に互いに電気的に絶縁されるように配設されていてればよい。このような場合には、引き出し配線及び画像供給線の一部が交差していてもこれらの間が電気的に接続されることはない。
【００１８】
本発明に係る電気光学装置の他の態様においては、前記ランダムに配設された複数の分岐配線及び前記Ｎ本の画像信号線のうち一方の複数の配線は、該一方の複数の配線の配線抵抗同士が相互に近付くように、該一方の複数の配線が延びる配線方向に沿って伸び、且つ前記基板に垂直な方向の断面内で部分的に上下方向位置が異なる上下シフト部分を含んでいてもよい。
【００１９】
この態様では、Ｎ本の画像信号線と、複数の分岐配線とは異なる層に形成されている。例えば、Ｎ本の画像信号線が複数の分岐配線より上層側に形成されている場合には、各画像信号線間で該画像信号線の配線抵抗が相互に近づくように、各画像信号線には上下シフト部分が形成されている。より具体的には、各画像信号線の下地となる下地絶縁層の表面に、各画像信号線における上下シフト部分の形状が相互に一致するように、凹凸が形成されている。或いは、各画像信号線における上下シフト部分の形状を同一の形状に近づけるように下地絶縁層の表面に凹凸が形成される。
【００２０】
Ｎ本の画像信号線の下地となる下地絶縁層は、該Ｎ本の画像信号線と複数の分岐配線とを層間絶縁する層間絶縁層か、この層間絶縁層とは異なる絶縁層となる。通常、下地絶縁層の表面には、該下地絶縁層よりも下層側に形成された積層構造における、基板に垂直な方向の断面内の段差形状に応じて、凹凸が形成される。より具体的には、例えば、下地絶縁層の表面には、該下地絶縁層よりも下層側に形成された、複数の分岐配線の各々の存否に応じた凹凸が形成される。或いは、下地絶縁層の表面には、下地絶縁層の下層側に形成された複数の分岐配線に加えて、複数の分岐配線と同一層又は複数の分岐配線よりも下層側に形成された別の配線等を構成する導電膜の存否に応じた凹凸が形成される。
【００２１】
各画像信号線は、例えば画像表示領域の周辺に位置する周辺領域に、複数の分岐配線の配線方向と交差する方向に形成されている。そして、複数の分岐配線は夫々Ｎ本の画像信号線のうち対応する一本に夫々接続される。よって、各画像信号線は、交差する分岐配線の数が相互に異なるため、各画像信号線には、分岐配線の存否に応じて下地絶縁層の表面に形成された凹凸によって、互いに異なる形状の上下シフト部分が形成される。
【００２２】
この場合、複数の分岐配線の長さを夫々変化させて、各画像信号線において、交差する分岐配線の数を同等とすることにより、各画像信号線における上下シフト部分の形状を同一形状に近づける。更に、各分岐配線の幅を調整することにより、各画像信号線における上下シフト部分の形状を近づけるようにしてもよい。
【００２３】
或いは、各画像信号線について、該画像信号線と交差する分岐配線の長さ又は幅を調整することに加えて若しくは代えて、下地絶縁層の凹凸を増減させることによって、上下シフト部分の形状を調整するようにしてもよい。また、各画像信号線における上下シフト部分の形状が、分岐配線の存否に加えて、該分岐配線とは別の配線等の存否に応じて下地絶縁層の表面に形成される凹凸によって、互いに異なってくる場合にも、分岐配線の長さ又は幅を調整することに加えて、下地絶縁層の凹凸を増減させることによって、上下シフト部分の形状を調整するようにしてもよい。
【００２４】
このように、各画像信号線における上下シフト部分の形状が相互に同一の形状となるようにすることにより、各画像信号線の実質的な配線長を同一の値となるようにすることができる。その結果、各画像信号線間で配線抵抗が相互に近づくように形成することができるため、各データ線群の境目で相隣接するデータ線に電気的に接続される二本の画像信号線の各々の配線抵抗の差異を小さくするか、或いはこれら配線抵抗を同等の値とすることができる。尚、上述したような実質的な配線長に加えて、各画像信号線の配線幅を変化させて、該画像信号線の配線抵抗又は配線容量を調整してもよい。
【００２５】
他方、複数の分岐配線がＮ本の画像信号線の上層側に形成されている場合、各分岐配線間で分岐配線の配線抵抗が相互に近づくように、各分岐配線には上下シフト部分が形成されている。より具体的には、画像信号線と同様に、各分岐配線の下地となる下地絶縁層の表面に、各分岐配線における上下シフト部分の形状が相互に一致するように、凹凸が形成される。或いは、各分岐配線における上下シフト部分の形状を同一の形状に近づけるように下地絶縁層の表面に凹凸が形成される。
【００２６】
更には、この場合においても、複数の分岐配線の長さを夫々変化させて、各画像信号線において、交差する分岐配線の数を同等とすることにより、各分岐配線における上下シフト部分の形状を同一形状に近づけるようにしてもよい。加えて、各画像信号線の幅を調整することにより、各分岐配線における上下シフト部分の形状を同一形状に近づけるようにしてもよい。また、各分岐配線の長さに加えて、各分岐配線間で、配線抵抗又は配線容量が相互に近づくように配線幅を変化させてもよい。
【００２７】
よって、この場合も、各分岐配線の実質的な配線長を同一の値となるようにすることができる。その結果、各分岐配線間で配線抵抗が相互に近づくように形成することができるため、各データ線群の境目で相隣接するデータ線に電気的に接続される第１及び第２の分岐配線の各々の配線抵抗の差異を小さくするか、或いはこれら配線抵抗を同等の値とすることができる。
【００２８】
この態様では、前記上下シフト部分は、前記層間絶縁層と同一又は異なる前記上下シフト部分の下地となる下地絶縁層の表面における前記断面内での凹凸によって、上下に蛇行していてもよい。
【００２９】
この態様によれば、複数の画像信号線及び複数の分岐配線の一方の複数の配線における
上下シフト部分の下地絶縁層の凹凸を、複数の分岐配線の長さを夫々変化させて、各画像信号線において交差する分岐配線の数を同等とするか、又は複数の分岐配線及びＮ本の画像信号線のうち、相対的に下層側に形成される他方の分岐配線の各々の配線幅を調整することにより、基板に垂直な方向の断面内で同一の形状に近づける。更には、これに加えて若しくは代えて、下地絶縁層の凹凸を単に増減させて、一方の複数の配線における上下シフト部分の下地絶縁層の凹凸を同一の形状に近づけるようにしてもよい。これにより、一方の複数の配線における上下シフト部分の形状を相互に同一の形状に近づけることが可能となる。その結果、一方の複数の配線の各々の間で配線抵抗が相互に近づくように形成することができる。
【００３０】
下地絶縁層の表面における凹凸によって、上下シフト部分が上下に蛇行する態様では、前記一方の複数の配線は、前記複数の分岐配線及び前記Ｎ本の画像信号線のうち他方の複数の配線の上層側に配線されており、前記層間絶縁層の表面における前記凹凸は、前記下地絶縁層の下層側にある、前記他方の複数の配線と同一層の存否に応じて形成されているように構成してもよい。
【００３１】
このように構成すれば、複数の分岐配線の長さを夫々変化させて、各画像信号線において交差する分岐配線の数を同等とするか、又は他方の複数の配線の各々の配線幅を調整することにより、一方の複数の配線における上下シフト部分の下地絶縁層の凹凸を、基板に垂直な方向の断面内で同一の形状に近づけることが可能となる。更には、上下シフト部分の下地絶縁層の凹凸が、分岐配線の存否に加えて、該分岐配線と同一層に形成された別の配線等の存否に応じて形成される場合に、下地絶縁層の凹凸を増減させることによって、上下シフト部分の形状を調整するようにしてもよい。或いは、上下シフト部分の下地絶縁層の凹凸形状を調整するための調整用パターンを、例えば分岐配線と同一の導電膜によって、分岐配線に加えて若しくは代えて、形成するようにしてもよい。加えて、上下シフト部分の下地絶縁層の凹凸形状を調整するための溝を、該下地絶縁層に形成するか、或いは該下地絶縁層より下層の絶縁層に形成するようにしてもよい。
【００３２】
本発明に係る電気光学装置の他の態様においては、前記一方の複数の配線は、前記複数の分岐配線及び前記Ｎ本の画像信号線のうち他方の複数の配線の上層側に配線されており、前記層間絶縁層の表面における前記凹凸は、前記下地絶縁層の下層側にある、前記他の複数の配線と同一層の存否に応じて形成されていてもよい。
【００３３】
この態様によれば、複数の分岐配線の長さを夫々変化させて、各画像信号線において交差する分岐配線の数を同等とするか、又は他方の複数の配線の各々の配線幅を調整することにより、一方の複数の配線における上下シフト部分の下地絶縁層の凹凸を、基板に垂直な方向の断面内で同一の形状に近づけることが可能となる。
【００３４】
本発明に係る電気光学装置の他の態様においては、前記下地絶縁層に形成された溝により、前記凹凸が形成されていてもよい。
【００３５】
この態様によれば、上下シフト部分の下地絶縁層の凹凸形状を調整することが可能となる。
【００３６】
本発明に係る電気光学装置の他の態様においては、前記一方の複数の配線は、前記複数の分岐配線及び前記Ｎ本の画像信号線のうち他方の複数の配線の上層側に配線されており、前記上下シフト部分は、前記他方の複数の配線の存在に応じて上下に蛇行する部分を含んでいてもよい。
【００３７】
この態様によれば、複数の分岐配線の長さを夫々変化させて、各画像信号線において交差する分岐配線の数を同等とするか、又は他方の複数の配線の各々の配線幅を調整することにより、一方の複数の配線における上下シフト部分の下地絶縁層の凹凸を、基板に垂直な方向の断面内で同一の形状に近づけることが可能となる。
【００３８】
本発明に係る電気光学装置の他の態様においては、前記一方の複数の配線には夫々、前記一方の複数の配線の各々の配線抵抗が相互に同等となるように、前記上下シフト部分が形成されていてもよい。
【００３９】
この態様によれば、各データ線群の境目で相隣接するデータ線に電気的に接続される二本の分岐配線及び画像信号線のいずれか一方の各々の配線抵抗を同等の値とすることができる。よって、各データ線群の境目で相隣接するデータ線への画像信号の供給経路における配線抵抗の相異の程度をより小さくすることができる。
【００４０】
本発明に係る電子機器は上記課題を解決するために上述の電気光学装置を具備してなる。
【００４１】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Digital  Light  Processing）等を実現することも可能である。
【００４２】
本発明のこのような作用及び他の利得は次に説明する実施形態から明らかにされる。
【発明を実施するための最良の形態】
【００４３】
以下では、本発明の実施の形態について図を参照しつつ説明する。以下の実施形態は、本発明の電気光学装置を液晶装置に適用したものである。
【００４４】
＜１；電気光学パネルの全体構成＞
先ず、本発明の電気光学装置の一例たる液晶装置における、電気光学パネルの一例としての液晶パネルの全体構成について、図１及び図２を参照して説明する。ここに、図１は、ＴＦＴアレイ基板をその上に形成された各構成要素と共に対向基板の側から見た液晶パネルの概略的な平面図であり、図２は、図１のＨ−Ｈ'断面図である。ここでは、駆動回路内蔵型のＴＦＴアクティブマトリクス駆動方式の液晶装置を例にとる。
【００４５】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４６】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。
【００４７】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４８】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００４９】
また、対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００５０】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００５１】
尚、図１及び図２には図示しないが、ＴＦＴアレイ基板１０上には、データ線駆動回路１０１や走査線駆動回路１０４等に加えて、後述するように画像信号線上の画像信号をサンプリングしてデータ線に供給するサンプリング回路が形成されている。本実施形態では、サンプリング回路のほか、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５２】
＜２；電気光学装置の全体構成＞
液晶装置の全体構成について図３及び図４を参照して説明する。ここに、図３は、液晶装置の全体構成を示すブロック図であり、図４は、液晶パネルの電気的な構成を示すブロック図である。
【００５３】
図３に示すように、液晶装置は、液晶パネル１００を備えると共に、外部回路として設けられた画像信号供給回路３００、タイミング制御回路４００、及び電源回路７００を備える。
【００５４】
タイミング制御回路４００は、各部で使用される各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。
【００５５】
画像信号供給回路３００には、外部から１系統の入力画像データＶＩＤが入力される。画像信号供給回路３００は、１系統の入力画像データＶＩＤをシリアル−パラレル変換して、Ｎ相、本実施形態では６相（Ｎ＝６）の画像信号ＶＩＤ１〜ＶＩＤ６を生成する。更に、画像信号供給回路３００において、画像信号ＶＩＤ１〜ＶＩＤ６の各々の電圧が、所定の基準電位に対して正極性及び負極性に反転され、このように極性反転された画像信号ＶＩＤ１〜ＶＩＤ６が出力されるようにしてもよい。
【００５６】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００５７】
次に、液晶パネル１００における電気的な構成について説明する。
【００５８】
図４に示すように、液晶パネル１００には、そのＴＦＴアレイ基板１０の周辺領域に、走査線駆動回路１０４、データ線駆動回路１０１、サンプリング回路２００を含む内部駆動回路が設けられている。
【００５９】
走査線駆動回路１０４には、Ｙクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００６０】
データ線駆動回路１０１には、Ｘクロック信号ＣＬＸ、反転Ｘクロック信号ＣＬＸｉｎｖ、及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｎを順次生成して出力する。
【００６１】
サンプリング回路２００は、Ｐチャネル型又はＮチャネル型の片チャネル型ＴＦＴ、若しくは相補型のＴＦＴから構成されたサンプリングスイッチ２０２を複数備える。
【００６２】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ、及び画素電極９ａをスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００６３】
６相にシリアル−パラレル展開された画像信号ＶＩＤ１〜ＶＩＤ６は、Ｎ本、本実施形態では６本の画像信号線１７１を介して液晶パネル１００に供給される。そして、ｎ本のデータ線１１４は、以下に説明するように、画像信号線１７１の本数に対応する６本のデータ線１１４を１群とするデータ線群毎に、順次駆動される。
【００６４】
データ線駆動回路１０１から、データ線群に対応するサンプリングスイッチ２０２毎にサンプリング信号Ｓｉ（ｉ＝１、２、・・・、ｎ）が順次供給され、サンプリング信号Ｓｉに応じて各サンプリングスイッチ２０２はオン状態となる。後述するように、各サンプリングスイッチ２０２は、分岐配線を介して画像信号線１７１に接続されている。尚、この分岐配線の詳細な構成は後述するが、本実施形態における、広義の「分岐配線」には、本発明に係る、狭義の「分岐配線」の一例である中継用配線が含まれる。
【００６５】
よって、６本の画像信号線１７１から画像信号ＶＩＤ１〜ＶＩＤ６が、オン状態となったサンプリングスイッチ２０２を介して、データ線群に属するデータ線１１４に同時に、且つデータ線群毎に順次供給される。よって、データ線群に属するデータ線１１４は互いに同時に駆動されることとなる。従って、本実施形態では、ｎ本のデータ線１１４をデータ線群毎に駆動するため、駆動周波数が抑えられる。
【００６６】
図４中、一つの画素部７０の構成に着目すれば、ＴＦＴ１１６のソース電極には、画像信号ＶＩＤｋ（但し、ｋ＝１、２、３、・・・、１２）が供給されるデータ線１１４が電気的に接続されている一方、ＴＦＴ１１６のゲート電極には、走査信号Ｙｊ（但し、ｊ＝１、２、３、・・・、ｍ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００６７】
走査線駆動回路１０４から出力される走査信号Ｙ１、・・・、Ｙｍによって、各走査線１１２は線順次に選択される。選択された走査線１１２に対応する画素部７０において、ＴＦＴ１１６に走査信号Ｙｊが供給されると、ＴＦＴ１１６はオン状態となり、当該画素部７０は選択状態となる。液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤ１〜ＶＩＤ６に応じたコントラストをもつ光が出射する。
【００６８】
ここで、保持された画像信号がリークするのを防ぐために、蓄積容量１１９が、液晶素子１１８と並列に付加されている。例えば、画素電極９ａの電圧は、ソース電圧が印加された時間よりも３桁も長い時間だけ蓄積容量１１９により保持されるので、保持特性が改善される結果、高コントラスト比が実現されることとなる。
【００６９】
＜３；サンプリング回路の機能的構成＞
次に、データ線１１４の駆動に係る主要な構成について、より詳細に図５から図１０を参照して説明する。図５は、画像供給線及び分岐配線のレイアウトを模式的に示したレイアウト図である。図６は、データ線１１４の駆動に係る回路構成を示す図であり、図７は、分岐配線及び画像信号線のＴＦＴアレイ基板１０上におけるレイアウトを示す図であり、更に図８（ａ）は、図７のＡ−Ａ´断面図であって、図８（ｂ）は図７のＢ−Ｂ´断面図である。また、図９は、比較例における分岐配線及び画像信号線のＴＦＴアレイ基板１０上におけるレイアウトを示す図であり、更に図１０（ａ）は、図９に示すレイアウト図において、図８（ａ）に対応する断面の構成を示す断面図であって、図１０（ｂ）は、図９に示すレイアウト図において、図８（ｂ）に対応する断面の構成を示す断面図である。尚、図６は、説明の便宜上、図５に示したデータ線駆動回路１０１及びサンプリング回路２００を上下逆転させて図示している。また、図８（ａ）及び図８（ｂ）、並びに図１０（ａ）及び図１０（ｂ）において、各層・各部材を図面上で認識可能な程度の大きさとするため、該各層・各部材ごとに縮尺を異ならしめてある。以下では、データ線１１４の駆動に係る主要な構成について、ｎ本のデータ線１１４が、その配列方向に沿って片方向に或いは双方向のうちの一方の方向にデータ線群毎に順次駆動される際、データ線駆動回路１０１から第（ｉ−１）番目、第ｉ番目、及び第（ｉ＋１）番目に出力される３つのサンプリング信号Ｓｉ−１、Ｓｉ、Ｓｉ＋１に基づいて駆動される３つのデータ線群のうち、特に第ｉ番目のサンプリング信号Ｓｉに基づいて駆動される第ｉデータ線群の構成に着目して説明する。尚、以下に説明する第ｉデータ線群に係る構成は、第（ｉ−１）データ線群及び第（ｉ＋１）データ線群についても同様である。
【００７０】
図５を参照しながら、画像供給線及び分岐配線等の具体的なレイアウトを説明する。  図５において、画像供給線１７１−１、・・・、１７１−６は、分岐配線Ｅ１、Ｅ２、・・・Ｅ６、Ｆ１、Ｆ２、・・・、Ｆ６を介して対応するデータ線群に画像信号を供給する。ここで、分岐配線Ｅ１、Ｅ２、・・・Ｅ６を介して画像信号が供給されるデータ線群と、分岐配線Ｆ１、Ｆ２、・・・、Ｆ６を介して画像信号が供給されるデータ線群とはデータ線の配列方向に沿って隣り合うデータ線群である。分岐配線Ｅ１、Ｅ２、・・・Ｅ６、Ｆ１、Ｆ２、・・・、Ｆ６は、画像供給線１７１−１、・・・、１７１−６と層間絶縁膜を介して異なる層上に配設されているため、分岐配線Ｅ１、Ｅ２、・・・Ｅ６、Ｆ１、Ｆ２、・・・、Ｆ６の夫々は、これら分岐配線と電気的に接続されるべき画像供給線以外の画像供給線と電気的に絶縁されている。より具体的には、例えば、コンタクトホールを介して画像供給線１７１−１と電気的に分岐された分岐配線Ｅ１は、本発明に「画像供給線の一部」の一例である画像供給線１７１−２、・・・、１７１−６と交差するが、これら画像供給線と交差する領域で電気的に絶縁されている。
【００７１】
本発明に係る「第１の分岐配線」の一例である分岐配線Ｅ６と、本発明に係る「第２の分岐配線」の一例である分岐配線Ｆ１とは、図中横方向であるデータ線の配列方向に沿って隣接しないように配設され、図中縦方向、即ちデータ線が延びる方向に沿って延在する。画像供給線１７１−６と電気的に接続された分岐配線Ｅ６の配線長と、画像供給線１７１−１と電気的に接続された分岐配線Ｆ１の配線長との差は、各分岐配線の配線長を比べた場合に最も大きく、分岐配線の長さに応じて配線抵抗の差も他の分岐配線間に比べて大きい。したがって、分岐配線Ｅ６及びＦ１を介して供給される画像信号の電位差は他の分岐配線を介して供給される画像信号の電位差に比べて大きく、分岐配線Ｅ６及びＦ１が図中横方向、即ちデータ線の配列方向に沿って隣接しないように配設されていることにより、画像表示領域内で視認される縦スジ、即ち画素部の境目が視認されることを低減できる。尚、「分岐配線の配線長」とは、図中縦方向、即ちデータ線が延びる沿った分岐配線の長さである。本実施形態では、分岐配線Ｅ６及びＦ１間に分岐配線Ｅ３及びＦ４が配設されているが、分岐配線Ｅ６及びＦ１間には、少なくとも一本分岐配線が配設されていれば、縦スジを低減する相応の効果は得られる。
【００７２】
ここで、第ｉデータ線群に画像信号を供給する分岐配線Ｅ１、Ｅ２、・・・、Ｅ６に注目すると、分岐配線Ｅ１、Ｅ２、・・・、Ｅ６は、図中横方向に沿ってランダムに配設されている。より具体的には、分岐配線Ｅ１、Ｅ２、・・・、Ｅ６は、データ線の配列方向に沿って各分岐配線の配線長がランダムになるように配設されている。このような分岐配線の配列によれば、分岐配線Ｅ１、Ｅ２、・・・、Ｅ６及びこれら分岐配線に電気的に接続された画像供給線を含んだ配線全体の配線抵抗を平均化でき、画像信号の電位差に応じて視認されるグラディエーションを低減できる。よって、第ｉデータ線群を介して画像信号が供給される画素間において均一な輝度で画像を表示できる。
【００７３】
外部回路端子Ｔ１、Ｔ２、・・・、Ｔ６は、画像信号供給回路の如き外部回路から供給される画像信号を引き出し配線ａ１、ａ２、ａ４、ａ５、画像供給線１７１−３及び１７１−６の一端の配線部を介して画像供給線１７１−１、１７１−２、・・・、１７１−６の夫々対応する画像供給線に供給する。分岐配線Ｅ１、Ｅ２、・・・、Ｅ６、Ｆ１、Ｆ２、・・、Ｆ６をランダムに配設したため、所定のデータ線の夫々に対応した画像信号を供給するために外部回路端子Ｔ１、Ｔ２、・・・、Ｔ６及びこれら外部回路端子に電気的に接続される画像供給線１７１の組み合わせを変更する必要が生じるが、引き出し配線ａ１、ａ２、ａ４、ａ５と、画像供給線１７１−３及び１７１−６の一端の配線部の代わりに設けられた引き出し配線とによって所定の外部回路端子Ｔ１、・・・、Ｔ６に各画像供給線を接続することにより、画像供給線１７１のレイアウトを変更することなく、各画像供給線に所定の画像信号を供給できる。引き出し配線ａ１、ａ２、ａ４、ａ５は、他の画像供給線と交差するが、これら他の画像供給線と電気的に絶縁されるようにこれら他の画像供給線の上層或いは下層に配設されている。また、引き出し配線ａ１、ａ２、ａ４、ａ５の配線長と、画像供給線１７１−３及び１７１−６が外部回路端子Ｔ１及びＴ２に接続される一端の配線部の配線長とが異なるが、このような引き出し配線および配線部の配線長の相違による配線抵抗の差も、分岐配線がランダムに配設されていることによって低減できる。
【００７４】
図６において、第ｉデータ線群に属するデータ線１１４ｅ（１１４ｅ−１〜１１４ｅ−６）の配列に対応して、６本の分岐配線Ｅ１〜Ｅ６が配列されている。また、６本の画像信号線１７１−１〜１７１−６は、データ線１１４ｅの配列方向に交差する方向に沿って配列されている。そして、６本の分岐配線Ｅ１〜Ｅ１２の一端は、６本の画像信号線１７１−１〜１７１−６のうち対応する一本に、夫々電気的に接続されると共に、これら６本の分岐配線Ｅ１〜Ｅ６の他端は夫々サンプリングスイッチ２０２を介してデータ線１１４ｅに電気的に接続される。各サンプリングスイッチを構成するＴＦＴ２０２は、ソースが分岐配線Ｅｋに接続されると共に、ドレインがデータ線１１４ｅに電気的に接続される。また、各ＴＦＴ２０２のゲートは、制御配線Ｘ１〜Ｘ６を介してデータ線駆動回路１０１に電気的に接続されている。尚、制御配線Ｘ１〜Ｘ６には第ｉ番目のサンプリング信号Ｓｉがデータ線駆動回路１０１から供給される。
【００７５】
図７において、本実施形態では、ＴＦＴアレイ基板１０上において、６本の画像信号線１７１−１〜１７１−６は、例えば、データ線１１４ｅと同一材料の低抵抗のアルミニウム膜によって形成される。また、制御配線Ｘ１、Ｘ２、・・・、Ｘ６は、画像信号線１７１−１〜１７１−６と交差する方向であってデータ線１１４ｅの延びる方向に配線され、例えばポリシリコン膜によって形成されている。また、各分岐配線Ｅ１、Ｅ２、Ｅ３、・・・、Ｅ６は、対応する画像信号線１７１−ｋに電気的に接続される一端側よりデータ線１１４ｅの延びる方向に、配線されている。そして、各分岐配線Ｅ１、Ｅ２、Ｅ３、・・・、Ｅ６の一部はサンプリングスイッチ２０２のソース電極を形成し、第ｉデータ線群に属するデータ線１１４ｅの各々の一部はサンプリングスイッチ２０２のドレイン電極を形成し、各制御配線Ｘ１、Ｘ２、・・・、Ｘ６の一部はサンプリングスイッチ２０２のゲート電極を形成する。また、分岐配線Ｅ１、Ｅ２、・・・、Ｅ６の夫々は、コンタクトホールＣ１、Ｃ２、・・・、Ｃ６を介して夫々画像供給線１１７−１、１７１−２、・・・、１７１−６に電気的に接続されている。
【００７６】
ここで、図６において、第ｉデータ線群に属するデータ線１１４ｅのうち、第（ｉ＋１）データ線群に隣接する一のデータ線１１４ｅ−１に対応する分岐配線Ｅ１の構成について、図６に示すように、この分岐配線Ｅ１は、一端が対応する画像信号線１７１−１に電気的に接続される中継用配線Ｈａ１、及び中継配線Ｈａ１の他端に、一端が電気的に接続され、その一部がサンプリングスイッチ２０２のソース電極を形成する補助中継用配線Ｈｂ１を含む。そして、中継用配線Ｈａ１は、本発明に係る、狭義の「分岐配線」の一例であり、例えばポリシリコン膜によって形成されている。また、補助中継用配線Ｈｂ１は、例えばアルミニウム膜によって形成されている。尚、第ｉデータ線群に電気的に接続される他の分岐配線Ｅ２、Ｅ３、・・・、Ｅ６は、分岐配線Ｅ１と同様の構成を有している。
【００７７】
図８（ａ）には、図６に示す第ｉデータ線群において、第（ｉ＋１）データ線群に隣接する一のデータ線１１４ｅ−１に対する画像信号ＶＩＤ１の供給経路となる画像信号線１７１−３の配線方向に沿うＡ−Ａ'断面の構成を示してあり、図７（ｂ）には、図６に示す第ｉデータ線群において、第（ｉ−１）データ線群に隣接する一のデータ線１１４ｅ−６に対する画像信号ＶＩＤ６の供給経路となる画像信号線１７１−４の配線方向に沿うＢ−Ｂ'断面の構成を示してある。尚、図７（ａ）及び図７（ｂ）には、画像信号線１７１−３及び１７１−４について、中継用配線Ｈａ１、Ｈａ２、Ｈａ３、・・・、Ｈａ６及び制御配線Ｘ１、Ｘ２、・・・、Ｘ６の配置関係とその電気的な接続に係る構成を示してある。
【００７８】
６本の画像信号線１７１−１〜１７１−６は、ＴＦＴアレイ基板１０上に、各分岐配線Ｅ１、Ｅ２、Ｅ３、・・・、Ｅ１２に含まれる補助中継用配線Ｈｂ１、Ｈｂ２、Ｈｂ３、・・・、Ｈｂ６と、データ線１１４ｅ−１〜１１４ｅ−６と共に、同一層に形成されており、各分岐配線Ｅ１、Ｅ２、Ｅ３、・・・、Ｅ６に含まれる中継用配線Ｈａ１、Ｈａ２、Ｈａ３、・・・、Ｈａ６及び制御配線Ｘ１、Ｘ２、・・・、Ｘ６に対して上層側に形成されている。これら中継用配線Ｈａ１、Ｈａ２、Ｈａ３、・・・、Ｈａ６及び制御配線Ｘ１、Ｘ２、・・・、Ｘ６と、画像信号線１７１−１〜１７１−６とは、該画像信号線１７１−１〜１７１−６の下地となる層間絶縁層６０によって互いに層間絶縁されている。また、中継用配線Ｈａ１、Ｈａ２、Ｈａ３、・・・、Ｈａ６及び制御配線Ｘ１、Ｘ２、・・・、Ｘ６は同一層に形成されている。
【００７９】
本実施形態では、各画像信号線１７１−１、１７１−２、・・・、１７１−６間で配線抵抗が相互に近づくように、各画像信号線１７１−１、１７１−２、・・・、１７１−６には上下シフト部分が形成されている。図８（ａ）において、画像信号線１７１−３には、層間絶縁層６０の表面における凹凸により、図中上下に蛇行しつつ、当該画像信号線１７１−３の配線方向に沿って延びる上下シフト部分１７１ａ−３が形成されている。また、図８（ｂ）において、画像信号線１７１−１４には、画像信号線１７１−３と同様に形成された上下シフト部分１７１ａ−４が含まれている。
【００８０】
図８（ａ）及び図８（ｂ）に示すように、層間絶縁層６０の表面には、該層間絶縁層６０よりも下層側に形成された、中継用配線Ｈａ１、Ｈａ２、Ｈａ３、・・・、Ｈａ６及び制御配線Ｘ１、Ｘ２、・・・、Ｘ６の各々の存否に応じて凹凸が形成される。尚、図７（ａ）において、画像信号線１７１−３は、層間絶縁層６０に開口されたコンタクトホールＣ１を介して、中継用配線Ｈａ１に電気的に接続されており、図７（ｂ）において、画像信号線１７１−４は、層間絶縁層６０に開口されたコンタクトホールＣ６を介して、中継用配線Ｈａ６に電気的に接続される。
【００８１】
本実施形態では、図７に示すように、各画像信号線１７１−１、１７１−２、・・・、１７１−６が、第ｉデータ線群に対応する６本の中継用配線Ｈａ１、Ｈａ２、Ｈａ３、・・・、Ｈａ６と交差するように、中継用配線Ｈａ１、Ｈａ２、Ｈａ３、・・・、Ｈａ６の長さを夫々同一の値Ｌとして形成する。このように形成された中継用配線Ｈａ１、Ｈａ２、Ｈａ３、・・・、Ｈａ６に応じて層間絶縁層６０の表面に形成された凹凸により、各画像信号線１７１−１、１７１−２、・・・、１７１−６における上下シフト部分の形状を同一形状に近づけるか、若しくは同一形状とする。即ち、各画像信号線１７１−１、１７１−２、・・・、１７１−６において、このような上下シフト部分は、第ｉデータ線群に電気的に接続される中継用配線Ｈａ１、Ｈａ２、Ｈａ３、・・・、Ｈａ６等と同様に、第（ｉ−１）データ線群に電気的に接続される中継用配線に応じて形成され、更には第（ｉ＋１）データ線群に電気的に接続される中継用配線等の存否に応じて形成され、というように、データ線１１４の配列方向に沿って、該画像信号線１７１−ｋと交差する中継用配線等の存否に応じて凹凸が形成されることとなる。これにより、各画像信号線１７１−１、１７１−２、・・・、１７１−６における上下シフト部分の形状を同一形状に近づけるか、若しくは同一形状とすることができるのである。加えて、各中継用配線Ｈａ１、Ｈａ２、Ｈａ３、・・・、Ｈａ６の長さに加えて若しくは代えて、各中継用配線Ｈａ１、Ｈａ２、Ｈａ３、・・・、Ｈａ６の幅Ｗ１、Ｗ２、・・・、Ｗ１２を調整することにより、層間絶縁層６０の表面に形成される凹凸形状を調整し、各画像信号線１７１−１、１７１−２、・・・、１７１−６における上下シフト部分の形状を同一形状に近づけるか、若しくは同一形状とするようにしてもよい。
【００８２】
このように各画像信号線１７１−１、１７１−２、・・・、１７１−６が形成されることにより、各画像信号線１７１−１、１７１−２、・・・、１７１−６の実質的な配線長を夫々同等に近づける、若しくは同等となるようにすることができる。その結果、各画像信号線１７１−１、１７１−２、・・・、１７１−６を、各画像信号線１７１−１、１７１−２、・・・、１７１−６間で配線抵抗が相互に近づくように形成することができる。
【００８３】
よって、図８（ａ）に示す画像信号線１７１−１の上下シフト部分１７１ａ−１と、図８（ｂ）に示す画像信号線１７１−６の上下シフト部分１７１ａ−６とは、同一形状に近づくか、若しくは同一形状となる。これにより、画像信号線１７１−１及び１７１−６の配線抵抗の差異を小さくするか、或いはこれら配線抵抗を同等の値とすることができる。よって、各データ線群の境目で相隣接するデータ線１１４、例えば図５において、二本のデータ線１１４ｄ及び１１４ｅ−６、並びに二本のデータ線１１４ｅ−１及び１１４ｆへの画像信号ＶＩＤ１及びＶＩＤ６の供給経路における配線抵抗の相異の程度を小さくすることが可能となる。
【００８４】
尚、上述したような実質的な配線長の調整に加えて、図７において、ＴＦＴアレイ基板１０上の基板面上で平面的に見た、各画像信号線１７１−１、１７１−２、・・・、１７１−６の幅を夫々調整することにより、各画像信号線１７１−１、１７１−２、・・・、１７１−６の配線抵抗又は配線容量を調整するようにしてもよい。
【００８５】
また、各分岐配線Ｅ１、Ｅ２、Ｅ３、・・・、Ｅ６において、例えば、アルミニウム膜により形成される補助中継用配線Ｈｂ１、Ｈｂ２、Ｈｂ３、・・・、Ｈｂ６に対して、ポリシリコン膜によって形成される中継用配線Ｈａ１、Ｈａ２、Ｈａ３、・・・、Ｈａ６の方が高抵抗である。よって、この場合、各分岐配線Ｅ１、Ｅ２、Ｅ３、・・・、Ｅ６の配線抵抗は、中継用配線Ｈａ１、Ｈａ２、Ｈａ３、・・・、Ｈａ６の配線抵抗によって支配されることとなる。従って、上述したように、各画像信号線１７１−１、１７１−２、・・・、１７１−６を、６本の中継用配線Ｈａ１、Ｈａ２、Ｈａ３、・・・、Ｈａ１６と交差させるようにするには、中継用配線Ｈａ１、Ｈａ２、Ｈａ３、・・・、Ｈａ６の長さを夫々同一とする必要は無いが、前述したように、中継用配線Ｈａ１、Ｈａ２、Ｈａ３、・・・、Ｈａ６の長さを同等とし、又は中継用配線Ｈａ１、Ｈａ２、Ｈａ３、・・・、Ｈａ６の幅Ｗ１、Ｗ２、・・・、Ｗ６を同等とすることにより、中継用配線Ｈａ１、Ｈａ２、Ｈａ３、・・・、Ｈａ６の配線抵抗を夫々同等することができる。また、このように中継用配線Ｈａ１、Ｈａ２、Ｈａ３、・・・、Ｈａ６を形成すれば、中継用配線Ｈａ１、Ｈａ２、Ｈａ３、・・・、Ｈａ６の配線容量を夫々同等することも可能となる。これにより、各分岐配線Ｅ１、Ｅ２、Ｅ３、・・・、Ｅ６の配線抵抗又は配線容量を同等することができる。よって、各データ線１１４ｅへの画像信号ＶＩＤｋの供給経路間で配線抵抗の差異を小さくすることが可能となる。
【００８６】
次に、図９には、図６から図８を参照して説明した第ｉデータ線群の駆動に係る主要な構成について、その比較例の構成を示すレイアウト図を示してある。この比較例の構成によれば、本実施形態との相違点は、中継用配線Ｈａ１、Ｈａ２、Ｈａ３、・・・、Ｈａ６の長さＬ１、Ｌ２、・・・、Ｌ６が夫々異なるところにある。よって、各画像信号線１７１−１、１７１−２、・・・、１７１−６は、交差する中継用配線Ｈａｋの数が互いに異なっているため、各画像信号線１７１−１、１７１−２、・・・、１７１−６には、中継用配線Ｈａｋの存否に応じて層間絶縁層６０の表面に形成された凹凸によって、互いに異なる形状の上下シフト部分が形成される。例えば、図１０（ａ）における、図９に示す画像信号線１７１−１における上下シフト部分１７１ａ−１の形状と、図１０（ｂ）における、図９に示す画像信号線１７１−６における上下シフト部分１７１ａ−６の形状とは異なる。これら二本の画像信号線１７１−１及び１７１−６間では交差する中継用配線Ｈａｋの数が、６本の画像信号線１７１−１〜１７１−６間で最も大きく異なるため、二本の画像信号線１７１−１及び１７１−６の実質的な配線長の差異も最も大きくなる。従って、これら二本の画像信号線１７１−１及び１７１−６の各々の配線抵抗の相違も大きくなる。よって、各データ線群の境目で相隣接するデータ線１１４への画像信号ＶＩＤ１及びＶＩＤ６の供給経路における配線抵抗の相異の程度も大きくなる。よって、このような供給経路における配線抵抗によって電位が変化した画像信号ＶＩＤ１及びＶＩＤ６が夫々データ線１１４に供給されることにより、各データ線群の境目で輝度ムラが発生する恐れがある。
【００８７】
これに対して本実施形態では、各データ線群の境目で相隣接するデータ線１１４への画像信号ＶＩＤ１及びＶＩＤ６の供給経路における配線抵抗の相異の程度を小さくすることができるため、このような供給経路において配線抵抗によって画像信号ＶＩＤ１及びＶＩＤ６の電位が変化するのを防止することができる。その結果、各データ線群の境目で輝度ムラが発生するのを防止して、電気光学装置において高品質な画像表示を行うことが可能となる。
【００８８】
以上説明したように、本実施形態では、画像信号線１７１−１〜１７１−６の各々の配線抵抗を互いに同等することできるため、アルミニウム膜のような低抵抗の材料に代えて、比較的高抵抗なポリシリコン膜により画像信号線１７１−１〜１７１−６を形成してもよい。
【００８９】
＜４；電子機器＞
次に、上述した液晶装置を各種の電子機器に適用する場合について説明する。
【００９０】
＜４−１：プロジェクタ＞
まず、この液晶装置をライトバルブとして用いたプロジェクタについて説明する。図１１は、プロジェクタの構成例を示す平面配置図である。この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブ１１１０Ｒ、１１１０Ｂおよび１１１０Ｇに入射される。これら３つのライトバルブ１１１０Ｒ、１１１０Ｂおよび１１１０Ｇは夫々液晶装置を含む液晶モジュールを用いて構成されている。
【００９１】
ライトバルブ１１１０Ｒ、１１１０Ｂおよび１１１０Ｇにおいて液晶パネル１００は、画像信号供給回路３００から供給されるＲ、Ｇ、Ｂの原色信号でそれぞれ駆動されるものである。そして、これらの液晶パネル１００によって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００９２】
ここで、各ライトバルブ１１１０Ｒ、１１１０Ｂおよび１１１０Ｇによる表示像について着目すると、ライトバルブ１１１０Ｇによる表示像は、ライトバルブ１１１０Ｒ、１１１０Ｂによる表示像に対して左右反転することが必要となる。
【００９３】
なお、ライトバルブ１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００９４】
＜４−２：モバイル型コンピュータ＞
次に、液晶装置を、モバイル型のパーソナルコンピュータに適用した例について説明する。図１２は、このパーソナルコンピュータの構成を示す斜視図である。図において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００９５】
＜４−３；携帯電話＞
さらに、液晶装置を、携帯電話に適用した例について説明する。図１３は、この携帯電話の構成を示す斜視図である。図において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００９６】
尚、図１１から図１３を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００９７】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００９８】
【図１】液晶パネルの全体構成を示す平面図である。
【図２】図１のＨ−Ｈ'断面図である。
【図３】液晶装置の全体構成を示すブロック図である。
【図４】液晶パネルの電気的な構成を示すブロック図である。
【図５】分岐配線及び画像信号線のレイアウトを模式的に示した図である。
【図６】データ線の駆動に係る回路構成を示す図である。
【図７】分岐配線及び画像信号線の具体的なレイアウトを示す図である。
【図８】図８（ａ）は、図７のＡ−Ａ'断面図であって、図８（ｂ）は図７のＢ−Ｂ´断面図である。
【図９】比較例における分岐配線及び画像信号線のレイアウトを示す図である。
【図１０】図１０（ａ）は、図９に示すレイアウト図において、図８（ａ）に対応する断面の構成を示す断面図であって、図１０（ｂ）は、図９に示すレイアウト図において、図８（ｂ）に対応する断面の構成を示す断面図である。
【図１１】液晶装置を適用した電子機器の一例たるプロジェクタの構成を示す平面図である。
【図１２】液晶装置を適用した電子機器の一例たるパーソナルコンピュータの構成を示す斜視図である。
【図１３】液晶装置を適用した電子機器の一例たる携帯電話の構成を示す斜視図である。
【符号の説明】
【００９９】
１０ａ・・・画像表示領域、１０・・・ＴＦＴアレイ基板、７０・・・画素部、１００・・・液晶パネル、１０１・・・データ線駆動回路、１０４・・・走査線駆動回路、１１２・・・走査線、１１４・・・データ線、１７１・・・画像信号線、２００・・・サンプリング回路、２０２・・・サンプリングスイッチ、Ｈａ１、Ｈａ２、Ｈａ３、Ｈａ４、Ｈａ５、Ｈａ６・・・中継用配線
【図１】
2006215425.tif 000003
【図２】
2006215425.tif 000004
【図３】
2006215425.tif 000005
【図４】
2006215425.tif 000006
【図５】
2006215425.tif 000007
【図６】
2006215425.tif 000008
【図７】
2006215425.tif 000009
【図８】
2006215425.tif 000010
【図９】
2006215425.tif 000011
【図１０】
2006215425.tif 000012
【図１１】
2006215425.tif 000013
【図１２】
2006215425.tif 000014
【図１３】
2006215425.tif 000015